(57)【要約】【課題】ファンガードの取付けが容易で、ビビリ音の発生がない空気調和機の室外機を提供する。【解決手段】本空気調和機の室外機は、ファンガードの外周部に設けられた複数の係止部と、ベルマウスの開口端内周に設けられた係止溝を係合させることにより、室外機本体にファンガードを取付ける。【選択図】  図１
2004317053.tif 000002
【特許請求の範囲】
【請求項１】
室外機本体にベルマウスを用いてファンガードが取付けられた空気調和機の室外機において、前記ファンガードの外周部に設けられた複数の係止部と、前記ベルマウスの開口端内周に設けられた係止溝を係合させることにより、室外機本体にファンガードを取付けることを特徴とする空気調和機の室外機。
【請求項２】
前記ファンガードは、中心付近から半径方向外側に向かって渦巻き状に形成される渦巻き線状部と、中心から半径方向外側に向かって放射状に形成される放射状線状部とで構成され、前記複数の係止部は、前記放射線状部の終端部であることを特徴とする請求項１に記載の空気調和機の室外機。
【発明の詳細な説明】
【０００１】
【発明の属する技術分野】
本発明は空気調和機の室外機に係わり、特にファンガードの取付け構造を改良した空気調和機の室外機に関する。
【０００２】
【従来の技術】
従来、空気調和機の室外機において、ファンガードは、ファンガードの外周部に設けられた取付け部を介してファンガードが取付けられるベルマウスの外周部に螺着されていた（例えば、特許文献１）。
【０００３】
しかしながら、特許文献１に記載の構成では、螺着するための工数が多くなる上に、ネジが緩むと振動などにより、ビビリ音が発生するなどの問題があった。
【０００４】
【特許文献１】
特開平９−３１０８９０号公報（段落［００１６］、図１、図２）
【０００５】
【発明が解決しようとする課題】
本発明は上述した事情を考慮してなされたもので、ファンガードの取付けが容易で、ビビリ音の発生がない空気調和機の室外機を提供することを目的とする。
【０００６】
【課題を解決するための手段】
上記目的を達成するため、本発明の１つの態様によれば、室外機本体にベルマウスを用いてファンガードが取付けられた空気調和機の室外機において、前記ファンガードの外周部に設けられた複数の係止部と、前記ベルマウスの開口端内周に設けられた係止溝を係合させることにより、室外機本体にファンガードを取付けることを特徴とする空気調和機の室外機が提供される。これにより、ファンガードの取付けが容易で、ビビリ音の発生がない空気調和機の室外機が実現される。
【０００７】
好適な一例では、前記ファンガードは、中心付近から半径方向外側に向かって渦巻き状に形成される渦巻き線状部と、中心から半径方向外側に向かって放射状に形成される放射状線状部とで構成され、前記複数の係止部は、前記放射線状部の終端部である。これにより、終端部の係止部として用いるので、別個に係止部を設ける必要がなく、構造が簡単になる。
【０００８】
【発明の実施の形態】
以下、本発明に係わる空気調和装置の室外機の実施形態について添付図面を参照して説明する。
【０００９】
図１は本発明に係わる空気調和装置の室外機の斜視図である。
【００１０】
図１に示すように、本発明に係わる空気調和装置の室外機１は、送風ファン２はじめ他の室外機構成要素（図示せず）が収容され、周囲に空気吸込口３、上部に空気吹出口４が設けられた室外機本体５と、空気吹出口４を覆うように、ベルマウス６を介して室外機本体５に取付けられたファンガード７を有している。
【００１１】
図２及び図３に示すように、ベルマウス６は、室外機本体５の上部を形成する上部キャビネット８に一体に設けられ、さらに空気吹出口４を囲うようにリング状の立上り９が設けられている。この立上り９の内周面には、係止溝１０が設けられた係止突起１１が等間隔で複数、例えば６個設けられ、さらに、ネジ孔１２ａが設けられたネジ止め用のネジ孔突部１２が対向して２個設けられている。
【００１２】
また、図４乃至図６に示すように、係止突起１１は、空気吹出口４の立上り９の端面と略同一面に形成された上側係止片１１ａと、この係止片１１ａと所定の間隙、後述するファンガード７の終端部７ｂ１が挿入可能な幅を有して形成された下側係止片１１ｂと、両係止片１１ａ，１１ｂとを連結する縦係止片１１ｃとで構成されている。
【００１３】
下側係止片１１ｂは、ベルマウス６の内周面に沿って形成される環状突状６ａの一部であり、ネジ孔１２ａが設けられるネジ孔突部１２と同一面に設けられる。また、下側係止片１１ｂは、上側係上片１１ａの平面部と同一形状の孔１１ｂ１が設けられている。これにより、ベルマウス６と係止突起１１は一体成形により形成が可能となる。
【００１４】
一方、図９に示すように、ファンガード７は、金属製ワイヤにより形成されており、その中心付近から半径方向外側に向かって渦巻き状に形成される渦巻状線部７ａと、中心から半径方向外側に向かって放射状に形成される放射状線部７ｂとで構成されている。この放射状線部７ｂは、渦巻状線部７ａから突出した直線状の終端部７ｂ１を複数有しており、この終端部７ｂ１が係止部をなし、図３及び図４に示す係止突起１１の係止溝１０に係合するようになっている。終端部７ｂ１を係止部として用いるので、別個に係止部を設ける必要がなく、構造が簡単になる。さらに、リング状にカールされたネジ止め用のネジ孔部７ｂ２が対向して２個設けられている。
【００１５】
本実施形態の空気調和機の室外機は上記構造を有しているので、室外機１を組立てるには、図１に示すように、送風ファン２はじめ他の室外機構成要素（図示せず）を室外機本体５に収容した後、上部キャビネット８を取付けて、ベルマウス６を室外機本体５の上部に位置させる。さらに、各々の係止突起１１の係止溝１０にファンガード７の放射状線部７ｂの終端部７ｂ１を係合させ、しかる後、ベルマウス６に設けられたネジ孔部１２とファンガード７に設けられたネジ孔部１２に２個のネジを螺合させて、ファンガード７をベルマウス６に取付け固着する。
【００１６】
この取付け工程において、終端部７ｂ１と係止溝１０との係合により取付け作業の大半を行い、併せ、わずかに２個のネジの螺合により取付け作業は完了するので、簡単な取付け構造を用いて、容易にファンガードを取付けが行える。また、取付け作業時、ベルマウス６の内周面に設けられた複数の係止突起１１により、ファンガード７のベルマウス６内への落下が防止される。さらに、使用するネジが少なく、螺合部でのネジの緩みを抑制でき、ビビリ音を低減させることができる。
【００１７】
【発明の効果】
本発明に係わる空気調和機の室外機によれば、ファンガードの取付けが容易で、ビビリ音の発生がない空気調和機の室外機を提供することができる。
【図面の簡単な説明】
【図１】本発明に係わる空気調和装置の室外機の斜視図。
【図２】本発明に係わる空気調和装置の室外機に用いられるベルマウスの斜視図。
【図３】本発明に係わる空気調和装置の室外機に用いられるベルマウスの平面図。
【図４】図３のＡ部の拡大図。
【図５】図３のＷ−Ｗ線方向から見た斜視図。
【図６】図３のＸ−Ｘ線に沿う係止突起の断面図。
【図７】図３のＢ部の拡大図。
【図８】図３のＹ−Ｙ線に沿う係止突起の断面図。
【図９】本発明に係わる空気調和装置の室外機に用いられファンガードの平面図。
【符号の説明】
１…室外機、２…送風ファン、３…空気吸込口、４…空気吹出口、５…室外機本体、６…ベルマウス、６ａ…環状突状、７…ファンガード、７ａ…終端部突出部、８…上部キャビネット、９…立上り、１０…係止溝、１１…係止突起、１１ａ…上側係止片、１１ｂ…下側係止片、１１ｂ，１１ｃ…縦係止片、１２…ネジ孔突部、１２ａ…ネジ孔。
【図１】
2004317053.tif 000003
【図２】
2004317053.tif 000004
【図３】
2004317053.tif 000005
【図４】
2004317053.tif 000006
【図５】
2004317053.tif 000007
【図６】
2004317053.tif 000008
【図７】
2004317053.tif 000009
【図８】
2004317053.tif 000010
【図９】
2004317053.tif 000011